(57)【要約】【課題】  従来の携帯端末の自動ダイヤルロックシステムは発信時や動作要求が発生したときにロック解除シーケンスが発生する。これは使用者が携帯端末を操作中に発生するため、ロック解除時間を使用者に待たせることになる。また、一旦ロックが解除されるとそのメモリアクセスの操作が終了するまでロック解除の状態を保っているため、操作中に紛失した場合、第三者がそのまま使用可能となってしまう。【解決手段】  上記課題を解決するために、本発明では、携帯端末にタッチセンサーを設け、このタッチセンサーに人が触れたときにロック解除シーケンスを行うことにより、使用者にロック解除時間を感じさせない。また、タッチセンサーから手を放すと自動的にロックが掛かるため、操作途中での置き忘れによるアンロックを事前に防ぐことが出来る。【選択図】  図１
2005268983.tif 000002
【特許請求の範囲】
【請求項１】
ロック解除ＩＤ情報を記憶するロック解除ＩＤ記憶部と、ロック解除ＩＤ情報の要求信号を送信するロック解除ＩＤ送信部と、外部装置からロック解除ＩＤ情報を受信するロック解除ＩＤ受信部と、人が触れたことを検知するタッチセンサーと、本機を制御する制御部と、を備え、ダイヤルロック機能を有する携帯端末であって、
前記制御部は、
前記タッチセンサーにより人が触れたことを検知した場合、前記ロック解除ＩＤ送信部がロック解除ＩＤ情報の要求信号を前記外部装置へ送信し、
前記ロック解除ＩＤ受信部が前記外部装置からロック解除ＩＤ情報を受信し、
前記ロック解除ＩＤ記憶部に記憶されたロック解除ＩＤ情報と前記ロック解除ＩＤ受信部で受信されたロック解除ＩＤ情報が一致したとき、自携帯端末のダイヤルロック機能を解除するよう制御することを特徴とする携帯端末。
【請求項２】
請求項１記載の携帯端末であって、
前記制御部は、前記タッチセンサーにより人が触れたことを検知されない場合は、ダイヤルロック機能を動作させることを特徴とする携帯端末。
【請求項３】
携帯端末と指輪型ＲＦＩＤとを備え、
前記携帯端末は、ロック解除ＩＤ情報を記憶するロック解除ＩＤ記憶部と、ロック解除ＩＤ情報の要求信号を送信するロック解除ＩＤ送信部と、指輪型ＲＦＩＤからロック解除ＩＤ情報を受信するロック解除ＩＤ受信部と、人が触れたことを検知するタッチセンサーと、本機を制御する制御部と、を備え、ダイヤルロック機能を有し、
前記制御部は、前記タッチセンサーにより人が触れたことを検知した場合、前記ロック解除ＩＤ送信部がロック解除ＩＤ情報の要求信号を前記指輪型ＲＦＩＤへ送信し、前記ロック解除ＩＤ受信部が前記指輪型ＲＦＩＤからロック解除ＩＤ情報を受信し、
前記ロック解除ＩＤ記憶部に記憶されたロック解除ＩＤ情報と前記ロック解除ＩＤ受信部で受信されたロック解除ＩＤ情報が一致したとき、自携帯端末のダイヤルロック機能を解除するよう制御することを特徴とする自動ダイヤルロック解除機能付き携帯端末システム。
【発明の詳細な説明】
【技術分野】
【０００１】
本発明は、携帯端末の自動ダイヤルロック機能に係わり、特に自動ダイヤルロック機能解除時の使用者の利便性を向上する携帯端末に関する。
【背景技術】
【０００２】
近年、携帯電話機を第三者に使用され膨大な損害をこうむるケースが増えてきており、携帯電話機のセキュリティー保護に係るニーズが増えてきている。携帯電話機のセキュリティー保護を実現する方法や装置がいくつか考案されており、携帯電話機の操作を受け付けないようにする機能として一般的に自動ダイヤルロック機能と呼ばれる方法がある。ここで、自動ダイヤルロック機能を解除するために、暗証番号を入力することにより解除することが行なわれている。
【０００３】
一方、使用するたびに暗証番号を入力する手間を省き、使用者の利便性を向上した従来技術の携帯電話機の自動ダイヤルロックシステムでは、携帯電話機とは別体のロック解除装置を使用し、使用者が携帯電話機を使用しようと手に持った後発信またはメモリダイヤル等の操作を行うべく入力キーより入力が行われた時に、コード記憶回路よりロック解除コードを読み出し、ロック解除コードを微弱電波に乗せロック解除装置へ送信し、ロック解除装置は受信したロック解除コードを元に内部に記憶したＩＤと認証演算を行い、認証演算結果を携帯電話機へ送信する。携帯電話機は自身の内部に記憶された認証演算結果とロック解除装置から受信した認証演算結果とを比較し、結果が一致すればロックを解除するシステムがある。これにより、使用者は使用するたびに暗証番号を入力するという手間が省け、利便性が向上する。（例えば、特許文献１参照）
【特許文献１】特開２００１−２４５３５４号公報
【発明の開示】
【発明が解決しようとする課題】
【０００４】
しかしながら、上記特許文献１記載の携帯電話機の自動ダイヤルロックシステムは、発信時やメモリダイヤル等の個人情報へのアクセス動作要求が発生したときにロック解除のためのロック解除シーケンスが発生する。つまり使用者が携帯電話機を操作した後にロック解除シーケンスが開始されるため、使用者はロック解除シーケンスが完了するまでの処理時間の間待つことになる。すなわち、入力を開始してもロック解除の処理時間の間は入力ができず携帯電話機が使用できないので、使用可能状態までの待ち時間が長くなり使い勝手が悪いという問題があった。
【０００５】
また、一旦ロックが解除されるとそのメモリダイヤル等の個人情報へのアクセス操作が終了するまでロック解除の状態を保っているため、操作途中に携帯電話機を紛失した場合、第三者がそのまま使用可能となってしまうという問題もあった。
【０００６】
本発明の目的は、携帯端末及び自動ダイヤルロック機能付き携帯端末システムにおいて、前記携帯端末に人が触れたことを認識するタッチセンサーを設け、使用者が携帯端末を持った時にロック解除シーケンス処理を開始することにより使用可能状態までの待ち時間を短くし、利便性を向上した携帯端末及び自動ダイヤルロック機能付き携帯端末システムを提供することにある。
【課題を解決するための手段】
【０００７】
上記課題を解決するために、本発明では、ロック解除ＩＤ情報を記憶するロック解除ＩＤ記憶部と、ロック解除ＩＤ情報の要求信号を送信するロック解除ＩＤ送信部と、外部装置からロック解除ＩＤ情報を受信するロック解除ＩＤ受信部と、人が触れたことを検知するタッチセンサーと、本機を制御する制御部と、を備え、ダイヤルロック機能を有する携帯端末であって、前記制御部は、前記タッチセンサーにより人が触れたことを検知した場合、前記ロック解除ＩＤ送信部がロック解除ＩＤ情報の要求信号を前記外部装置へ送信し、前記ロック解除ＩＤ受信部が前記外部装置からロック解除ＩＤ情報を受信し、前記ロック解除ＩＤ記憶部に記憶されたロック解除ＩＤ情報と前記ロック解除ＩＤ受信部で受信されたロック解除ＩＤ情報が一致したとき、自携帯端末のダイヤルロック機能を解除するよう制御することを特徴とする。
【０００８】
これにより、例えば、使用者が携帯電話機１０を持った時にロック解除シーケンス処理が開始するので、使用者が携帯電話機１０を入力できるように持って入力装置１５から入力をするまでの間に解除処理が終了し、直ぐに入力操作をすることが可能となることが期待でき、利便性が向上する。すなわち、これは使用者が携帯電話機を使用しようと携帯電話機を持った段階でロック解除シーケンスが発生するため、使用者が携帯電話機を操作するときにはロックが解除されており、使用者にロック解除処理時間を感じさせない。
【０００９】
また、制御部は、前記タッチセンサーにより人が触れたことを検知されない場合は、ダイヤルロック機能を動作させることを特徴とする。これにより、タッチセンサーから手を放すと自動的にロックが掛かるため、操作途中での紛失や置き忘れ等による第三者による使用を不可能とする効果がある。
【００１０】
また、前記外部装置は指輪型ＲＦＩＤであることを特徴した携帯端末システムを提供する。これにより、ロック解除装置である外部装置が小型化でき、指にはめるようにしたため、持ち運びに便利でありさらにロック解除装置を紛失することがなくなる。また、ＲＦＩＤチップを使用することにより、ロック解除装置に電源を準備する必要がなくなり小型化が図れる。
【発明の効果】
【００１１】
本発明によれば、利便性を向上した携帯端末及び自動ダイヤルロック機能付き携帯端末システムを提供することができる。
【発明を実施するための最良の形態】
【００１２】
以下、携帯電話を携帯端末の一例として説明するが、これに限らず、ＰＤＡやＰＨＳなども携帯端末の一例であることは言うまでもない。
【実施例１】
【００１３】
図１は、本発明による第１の実施例である自動ダイヤルロック解除機能付き携帯電話機システムの構成を示したブロック図の一実施例である。図１において、１０は携帯電話機、２０はロック解除装置である。携帯電話機１０において、１１は携帯電話機１０全体の制御を行う制御部である。１２は無線基地局との間で音声またはデータの発着信を行う送受信部、１１３は送受信部１２を制御する送受信制御部である。１３は制御部１１からの各種情報を使用者に判るように表示するための表示部、１５はキーボード等を備え、使用者が該キーボードを打鍵することにより制御部１１に対して操作制御情報や発信の相手先番号等のデータを通知する入力装置である。１６は人が携帯電話機１０を持つ時に触れる位置に配置し、人が触れたことを検知するタッチセンサーである。１１０は携帯電話機１０の各種機能を実現するため、プログラムを格納したＲＯＭ（Read Only Memory）１１１からプログラムを読み出し、データ処理エリアであるＲＡＭ（Random Access Memory）１１２を使用してプログラムを実行するＣＰＵ（Central Processing Unit）である。１７はロックを解除する時に認証として使用するロック解除ＩＤ情報が記録されているロック解除ＩＤ記憶部である。１８は、ロック解除要求信号を微弱電波を用いて送信するロック解除要求送信部である。１９はロック解除装置２０から微弱電波を用いて送信されたロック解除ＩＤ情報を受信するロック解除ＩＤ受信部である。ロック解除装置２０において、２２はロック解除ＩＤ記憶部１７に記憶されているロック解除ＩＤ情報と同一のロック解除ＩＤ情報が記録されているロック解除ＩＤ情報記録部である。２３はロック解除要求送信部１８より微弱電波により送信されたロック解除要求信号を受信するロック解除要求受信部である。２４はロック解除ＩＤ情報記録部２２からのロック解除ＩＤ情報を微弱電波により送信するロック解除ＩＤ送信部である。１４は携帯電話機１０の各部に電源を供給する電源部である。２１はロック解除装置２０の各部に電源を供給する電源部である。
【００１４】
次に、本発明に係わる自動ダイヤルロックの動作概要を説明する。ここでは、携帯電話機１０は自動ダイヤルロック機能を搭載しており、自動ダイヤルロック機能が動作する設定になっている状態として説明する。ＣＰＵ１１０はタッチセンサー１６から人が触れたことを知らせる検知信号を受けると、ロック解除要求送信部１８に対し、ロック解除要求信号を送信するよう命令する。この命令を受けるとロック解除要求送信部１８は微弱電波を用いてロック解除装置２０にロック解除要求信号を送信する。
【００１５】
ロック解除装置２０では、携帯電話機１０のロック解除要求送信部１８からの微弱電波に載ったロック解除要求信号をロック解除要求受信部２３で受信すると、ロック解除要求受信部２３は微弱電波信号をディジタル電気信号に変換する。ロック解除ＩＤ情報記憶部２２は電気信号に変換されたロック解除要求信号を受け取ると、あらかじめ携帯電話機１０のロック解除ＩＤ記憶部１７に記憶されたロック解除ＩＤ情報と同一のロック解除ＩＤ情報が記憶されており、ロック解除要求受信部２３からロック解除要求信号を受け取ると、ロック解除ＩＤ情報記憶部２２は記録されているロック解除ＩＤ情報をロック解除ＩＤ送信部２４へ送る。ロック解除ＩＤ情報を受け取ったロック解除ＩＤ送信部２４は微弱電波を用いてロック解除ＩＤ情報を携帯電話機１０へ送信する。
【００１６】
ロック解除装置２０のロック解除ＩＤ送信部２４から送信された微弱電波に載ったロック解除ＩＤ情報を携帯電話機１０のロック解除ＩＤ受信部１９で受信する。ロック解除ＩＤ受信部１９は受信した微弱電波信号をディジタル電気信号に変換し、電気信号に変換されたロック解除ＩＤ情報をＣＰＵ１１０へ出力する。ＣＰＵ１１０はロック解除装置２０から受け取ったロック解除ＩＤ情報と携帯電話機１０のロック解除ＩＤ記憶部１７に予め記憶されているロック解除ＩＤ情報とを比較し、一致した場合は、携帯電話機１０の自動ダイヤルロック機能（例えば、キーロック、設定画面表示固定）を解除する。これにより、使用者が携帯電話機１０を持った時にロック解除シーケンス処理が開始するので、使用者が携帯電話機１０を入力できるように持って入力装置１５から入力をするまでの間に解除処理が終了し、直ぐに入力操作をすることが可能となることが期待でき、利便性が向上する。また、ここでロック解除ＩＤ情報が一致しない場合は自動ダイヤルロック機能を解除しない。
【００１７】
尚、本実施例では、ロック解除シーケンス処理は１秒以内としており、携帯電話機１０に触り手に持って操作のために構えるまでには通常１秒以上かかるので、ロック解除シーケンス処理は終了するので、直ぐに入力操作をすることが可能となっている。
【００１８】
また、自動ダイヤルロック機能が解除されメモリダイヤル等の個人情報へのアクセス操作途中に携帯電話機１０を使用者が手を離した時には、タッチセンサー１６からの検知信号がなくなるので、ＣＰＵ１１０は自動ダイヤルロック機能を動作させる。これにより、紛失や置き忘れ等に起因した、携帯電話機の特定の使用者（正規所有者等）以外の第三者による使用を不可能とする効果がある。
【００１９】
ここで、本実施例では上記微弱電波の通信可能距離は１〜２ｍ程度の距離としている。これは、正規所有者が自動ダイヤルロック機能を解除するのは、携帯電話機を手に持ったときであり、ロック解除装置はポケットまたは手に持った鞄等にある場合が多いので、通信可能距離を１〜２ｍとした。尚、通信可能距離はこれに限ったものではないことはいうまでもなく、１〜２ｍよりも長いまたは短い任意の距離でもよい。
【００２０】
また、携帯電話機１０とロック解除装置２０間にて授受される信号の通信媒体は電波だけに限定されるものではなく、例えば、電磁誘導や赤外線や可視光等を用いても良い。
【００２１】
本発明の動作処理の流れについて図２を用い説明する。図２は本発明の実施の形態である自動ダイヤルロックシステムの動作を示したフローチャートである。
【００２２】
まず、携帯電話機１０の特定の使用者（正規所有者）あるいはサービス提供者等は、あらかじめ設定された所定のロック解除ＩＤ情報を、携帯電話機１０のロック解除ＩＤ記憶部１７とロック解除装置２０のロック解除ＩＤ情報記憶部２２に対し、図示しないパソコン、専用書き込みツール、またはＲＯＭライタ等の書き込み手段を用いて記憶させる。尚、ロック解除ＩＤ記憶部１７及びロック解除ＩＤ情報記憶部２２へのロック解除ＩＤ情報の入力は、入力装置１５を介して行うようにしても良い。また、携帯電話機１０の電源投入時、携帯電話機１０は自動ダイヤル機能動作状態（以下ロック状態）であるものとする。
【００２３】
ロック解除装置２０を正規の所有者が持っている場合を説明する。携帯電話機１０は通常電源が入った状態では待ち受け状態にあり、通信はＯＦＦ状態で、表示部１３に表示する情報は予め設定している画面情報で表示するとともに、電源キーを除くキーボード等の入力装置１５のキー入力を無効として携帯電話機１０をロック状態となっている（ステップＳ１）。人が携帯電話機１０を使用していない場合は、人はタッチセンサー１６に触れていないためタッチセンサー１６から接触信号が発生せず、携帯電話機１０はロック状態を維持し、接触信号の入力待ち状態を維持する（ステップＳ２）。人が携帯電話機１０を持った場合、タッチセンサー１６からＣＰＵ１１０に接触信号が送られる。ＣＰＵ１１０はタッチセンサー１６からの接触信号を受け取ると、ロック解除要求送信部１８から微弱電波を用いてロック解除要求信号をロック解除装置２０へ送信する（ステップＳ３）。携帯電話機１０のロック解除要求送信部１８から送信された微弱電波をロック解除装置２０のロック解除要求受信部２３が受信すると、ロック解除装置２０はロック解除ＩＤ情報記憶部２２に記憶されているロック解除ＩＤ情報をロック解除ＩＤ送信部２４を介して携帯電話機１０へ微弱電波を用いて送信する（ステップＳ４）。携帯電話機１０はロック解除装置２０のロック解除ＩＤ送信部２４から送られてきた微弱電波のロック解除ＩＤ情報をロック解除ＩＤ受信部１９で受信し、ロック解除ＩＤ情報をディジタル電気信号へ変換する。携帯電話機１０はロック解除装置２０から受け取ったロック解除ＩＤ情報をＣＰＵ１１０でロック解除ＩＤ記憶部１７に記憶されているロック解除ＩＤ情報とを比較し（ステップＳ５）、一致すれば入力装置１５のキーロックを解除するとともに、表示部１３を有効にし、情報を表示する（ステップＳ６）。これにより使用者はキーロック及び表示画面のロックが解除された携帯電話機１０を操作することができる。ここで、携帯電話機１０を操作中は、使用者はタッチセンサー１６に常に触れており、タッチセンサー１６からの接触信号は常にＣＰＵ１１０に入力されるため、制御部１１はロック状態を解除した状態を維持しつづける（ステップＳ７）。これにより、手に持った後、直ぐに入力操作をすることが可能となることが期待でき、利便性が向上する。
【００２４】
尚、上記説明では携帯電話１０のロック解除ＩＤ情報とロック解除装置２０のロック解除ＩＤ情報は演算などの処理をせずに説明しているが、ロック解除ＩＤ情報に対し演算等の処理を行うようにしても良い。
【００２５】
ステップＳ６でロック状態が解除された携帯電話機１０から使用者が手を放した場合は、携帯電話機１０のタッチセンサー１６から手を放すことになり、タッチセンサー１６からの接触信号がなくなるためＣＰＵ１１０は接触信号を検知せず（ステップＳ７）、携帯電話機１０が通信状態にある場合は通信をＯＦＦにし、表示部１３に表示する情報を予め設定した固定の画面表示とし、キーボード等の入力装置１５のキー入力を無効として携帯電話機１０をロック状態とする（ステップＳ１０）。そして携帯電話機１０はタッチセンサー１６からの接触信号待ち状態となる（ステップＳ２）。
【００２６】
ここで、ステップＳ１０でロック状態とする時に、それまでの情報をＲＡＭ１１２等に記憶しておくようにしても構わない。このようにすることにより、再度正規使用者が使用した時に前の情報を利用できるので利便性が向上する。
【００２７】
ロック解除装置２０を持たない第三者が携帯電話機１０を使用しようとした場合について説明する。このとき第三者は携帯電話機１０を使用しようとしてタッチセンサー１６に触れるため、タッチセンサー１６からＣＰＵ１１０に接触信号が送られる。ＣＰＵ１１０がこの接触信号を検知する（ステップＳ２）と、ロック解除要求送信部１８からロック解除要求信号が微弱電波で送信される（ステップＳ３）。しかし、第三者はロック解除装置２０を所持していないため携帯電話機１０へはロック解除ＩＤ情報を送信しない。このため、携帯電話機１０のロック解除ＩＤ受信部１９はロック解除ＩＤ情報を受信できず、ロック解除ＩＤ記憶部１７に記憶されているロック解除ＩＤ情報との比較時に不一致が発生する（ステップＳ５）。ロック解除ＩＤ情報の不一致が発生した場合、ロック解除ＩＤの不一致が５回未満であれば再度ステップＳ２に戻り、ロック解除ＩＤ確認動作を行う（ステップＳ８）。もしロック解除ＩＤ情報の不一致が５回に達した場合、ＣＰＵ１１０はタッチセンサー１６から入力される接触信号を全て無効とし、認証処理を中止する（ステップＳ９）。この状態では携帯電話機１０は電源キー以外の入力装置１５からの入力に一切応答しない全ロック状態となり、使用者は携帯電話機１０を使用することが出来ない。これにより、紛失や置き忘れ等に起因した、携帯電話機の特定の使用者（正規所有者等）以外の第三者による使用を不可能とする効果がある。
【００２８】
次に、ステップＳ９で認証処理を中止して全ロック状態になった場合の、入力装置１５からのパスワード入力によるロック解除方法について図３を用いて説明する。
【００２９】
使用者が再び携帯電話機１０の全ロック解除動作を行なうためには、入力装置１５の電源キーを押す必要がある。入力装置１５の電源キーを押すことにより、携帯電話機１０を電源ＯＦＦ状態にする（ステップＳ１１）。使用者は携帯電話機１０が電源ＯＦＦ状態（ステップＳ１１）から携帯電話機１０の電源キーを長押しすること（ステップＳ１２）により携帯電話機１０の電源ＯＮ状態にし全ロック状態を解除する（ステップＳ１３）。その後、ステップＳ１４で電源キーを短い時間で押すと認証処理を行うロック解除シーケンス処理（ステップＳ１４、（１））に進み、図２ステップＳ２のタッチセンサー１６からの接触信号待ち状態となる。ステップＳ１４で電源キーを長押ししていると、ＣＰＵ１１０は入力装置１５から電源キーが長押しされていることを検知し（ステップＳ１４、Ｙｅｓ）、入力装置１５からの入力キーによるパスワード入力待ちモードに移行する（ステップＳ１５）。使用者は入力装置１５を打鍵することによりパスワードを入力する。入力されたパスワードはＣＰＵ１１０でロック解除ＩＤ記憶部１７に予め設定した記憶されているパスワードと比較し（ステップＳ１６）、一致した場合（ステップＳ１６、（２））、ロック状態を解除し表示部１３の表示と入力装置１５のキー入力を有効にする（図２ステップＳ６）。ステップＳ１６でもしパスワードが一致しない場合は、不一致の回数が５回未満であれば（ステップＳ１７）、ステップＳ１６に戻り再度パスワード入力を受け付ける。しかしパスワードの不一致が５回に達すると（ステップＳ１７、（３））、図２ステップＳ９に進み、ＣＰＵ１１０はタッチセンサー１６から入力される接触信号を全て無効とし、認証処理を中止する。この状態では携帯電話機１０は電源キー以外の入力装置１５からの入力に一切応答しないロック状態となり、使用者は携帯電話機１０を使用することが出来ない。
【００３０】
タッチセンサー１６の設置個所について、図４を用いて説明する。図４は、タッチセンサーの設置箇所の一実施例を示す図である。タッチセンサー１６の設置箇所は図４に示すように、携帯電話機１０の側面に２箇所設置している。この位置は、使用者または第三者などの人が携帯電話機１０を使用する場合、最も持ちやすい部分、持ったときに自然に触れる部分である。これにより人が携帯電話機１０を使用する場合、このタッチセンサー１６に自然と触れることになり、タッチセンサー１６から接触信号が発生する。尚、本実施例では、タッチセンサー１６は操作キー側筐体の両側に２箇所配置したが、配置個所数はこれに限ったものではない。例えば、片側に１箇所、または表示側筐体の側面に設けてもよい。
【００３１】
ステップＳ１またはＳ１０で表示する予め設定している画面情報について、図５を用いて説明する。図５（ａ）はアドレス帳機能時のアドレス帳画面、図５（ｂ）（ｃ）（ｄ）はロック状態における表示画面の例であるクリア画面（１）、（２）、（３）を示している。図５（ｂ）のように無表示、または図５（ｃ）のようにカレンダ、または図５（ｄ）のように時計や絵、写真などの内から予め設定された画面情報をロック状態では、表示部１３に表示する。特に、ステップＳ１０では、携帯電話機１０の動作状態にかかわらず通信をＯＦＦするとともに表示画面を無表示等にするので、第三者に対して情報を保護することが可能となる。
【実施例２】
【００３２】
次に、本発明による第２の実施例であるロック解除装置として指輪型ＲＦＩＤ（Radio Frequency Identification）を用いた自動ダイヤルロック解除機能付き携帯電話機の一実施例を図６〜図７を用いて説明する。
【００３３】
図６（ａ）は本発明による第２の実施例である指輪型ＲＦＩＤの構成図を示した一実施例、図６（ｂ）は指輪型ＲＦＩＤの指への装着図である。図６（ａ）に示すように指輪の表面にＲＦＩＤチップ６１を埋め込んだ構造を取り、図６（ｂ）のように指輪型ＲＦＩＤ３０を指に装着する。指輪を装着する指はどの指でも構わない。本実施例では通信手段として微弱電波方式を使用して説明するが、電磁誘導（磁界）方式、電波方式のどちらでも良い。
【００３４】
図７は、本発明による第２の実施例である指輪型ＲＦＩＤ６２を用いた自動ダイヤルロック解除機能付き携帯電話機システムの構成の一実施例を示すブロック図である。携帯電話機１０については図１にて既に説明済みであるため指輪型ＲＦＩＤ３０について説明する。指輪型ＲＦＩＤ３０は携帯電話機１０のロック解除要求送信部１８からの微弱電波をアンテナ３５で受信すると電源整流部３１で電磁誘導等による共振作用により起電力が発生し、本指輪型ＲＦＩＤ３０の電源とする。一方、アンテナ３５で受信したロック解除要求情報の微弱電波を受信部３３で電気信号化する。ＩＤ記憶部３２は受信部３３からのロック解除要求情報の電気信号を受け取るとＩＤ記憶部３２に予め記憶されたロック解除ＩＤ情報を電気信号化し送信部３４からアンテナ３５を介してロック解除ＩＤ情報を微弱電波として送信する。指輪型ＲＦＩＤ３０のアンテナ３５から送信された微弱電波を携帯電話機１０のロック解除ＩＤ受信部１９で受信する。ロック解除ＩＤ受信部１９は受信した微弱電波信号をディジタル電気信号に変換し、電気信号に変換されたロック解除ＩＤ情報をＣＰＵ１１０へ出力する。ＣＰＵ１１０は指輪型ＲＦＩＤ３０から受け取ったロック解除ＩＤ情報と携帯電話機１０のロック解除ＩＤ記憶部１７に予め記憶されているロック解除ＩＤ情報とを比較し、一致した場合、携帯電話機１０の自動ダイヤルロック機能（例えば、キーロック、設定画面表示固定）を解除する。これにより、ロック解除装置が小型化でき、指にはめるようにしたため、持ち運びに便利でありさらにロック解除装置を紛失することがなくなる。また、ＲＦＩＤチップを使用することにより、ロック解除装置に電源を準備する必要がなくなり小型化が図れる。さらに、使用者が携帯電話機１０を持った時にロック解除シーケンス処理が開始するので、使用者が携帯電話機１０を入力できるように持って入力装置１５から入力をするまでの間に解除処理が終了し、直ぐに入力操作をすることが可能となることが期待でき、利便性が向上する。
【００３５】
以上の実施例によれば、携帯端末及び自動ロック解除機能付き携帯端末システムにおいて、前記携帯端末に人が触れたことを認識するタッチセンサーを設け、携帯端末を操作しようと触れる動作ごとに、ロック解除シーケンス処理を開始するように構成したので、使用可能状態までの待ち時間を短くし、利便性を向上することができる。
【００３６】
さらに、操作途中の携帯端末の紛失や置き忘れ等に起因した、携帯端末の特定の使用者（正規所有者等）以外の第三者による使用を不可能とする効果がある。
【図面の簡単な説明】
【００３７】
【図１】本発明による第１の実施例を示すシステム構成のブロック図である。
【図２】本発明による第１の実施例の動作処理の流れを示すフローチャートである。
【図３】本発明の一実施例の動作を示すフローチャートである。
【図４】タッチセンサーの設置箇所の一実施例を示す図
【図５】ロック状態における表示装置の表示画面の一実施例である。
【図６】本発明による第２の実施例である指輪型ＲＦＩＤの構成図の一実施例である。
【図７】本発明による第２の実施例である指輪型ＲＦＩＤを用いたシステム構成のブロック図である。
【符号の説明】
【００３８】
１０…携帯電話機、１１…制御部、１２…送受信部、１３…表示部、１４…電源部、
１５…入力装置、１６…タッチセンサー、１７…ロック解除ＩＤ記憶部、
１８…ロック解除要求送信部、１９…ロック解除ＩＤ受信部、２０…ロック解除装置、
２１…電源部、２２…ロック解除ＩＤ情報記憶部、２３…ロック解除要求受信部、
２４…ロック解除ＩＤ送信部、３０…指輪型ＲＦＩＤ、３１…電源整流部、
３２…ＩＤ記憶部、３３…受信部、３４…送信部、３５…アンテナ、
１１０…ＣＰＵ、１１１…ＲＯＭ、１１２…ＲＡＭ、１１３…送受信制御部
６１…ＲＦＩＤチップ
【図１】
2005268983.tif 000003
【図２】
2005268983.tif 000004
【図３】
2005268983.tif 000005
【図４】
2005268983.tif 000006
【図５】
2005268983.tif 000007
【図６】
2005268983.tif 000008
【図７】
2005268983.tif 000009